(57)【要約】【課題】製造技術的に格別の熟練度を要する精密加工の必要がなく容易かつ安価に製造でき、耐磨耗性や耐食性などに優れ、しかも、美観の向上と自由かつ多様な色彩や模様などによるデザインを選択できるシリンダ型ロック装置、これを用いたドアロック装置およびこれらの製造方法を提供する。【解決手段】本発明であるドアロック装置１００は、キー１１０のブレード１１１をシリンダ１２２に内蔵したプラグ１２１の鍵穴１２１ｈに挿入し、このプラグ１２１をシリンダ１２２に対して回動させることによりドア１０の施錠または開錠を行うシリンダ型ロック装置において、キー１１０における把持部１１２、シリンダ１２２、リング部材１３０、鍵プレート１４０およびドアノブ１５０それぞれの表面に、共通な色彩、模様からなる塗装膜１１３，１２４，１３１，１４１，１５３を設けてなることを特徴とする。【選択図】　　　　図１
2004011299.tif 000002
【特許請求の範囲】
【請求項１】
把持部を有するキーのブレードをシリンダに内蔵したプラグの鍵穴に挿入し、このプラグをシリンダに対して回動させることにより施錠または開錠を行うシリンダ型ロック装置において、
キーにおける把持部の表面およびシリンダの表面に、色彩、模様またはこれらの結合からなる塗装膜を設けてなることを特徴とするシリンダ型ロック装置。
【請求項２】
前記塗装膜は、樹脂塗料からなるものである請求項１に記載のシリンダ型ロック装置。
【請求項３】
前記塗装膜は、多層に積層形成してなるものである請求項１または２に記載のシリンダ型ロック装置。
【請求項４】
前記塗装膜は、その下色となる下色層の表面に、塗料の厚みが不均一な濃淡模様を構成する少なくとも一つの濃淡模様層を形成してなる請求項３に記載のシリンダ型ロック装置。
【請求項５】
前記濃淡模様層は、少なくとも２つの層からなる請求項４に記載のシリンダ型ロック装置。
【請求項６】
前記濃淡模様が豹柄などの所望の模様である請求項３乃至５のいずれか一項に記載のシリンダ型ロック装置。
【請求項７】
把持部を有するキーのブレードをシリンダに内蔵したプラグの鍵穴に挿入し、このプラグをシリンダに対して回動させることによりドアの施錠または開錠を行うドアロック装置において、
キーにおける把持部の表面およびシリンダの表面に、色彩、模様またはこれらの結合からなる塗装膜を設けてなることを特徴とするドアロック装置。
【請求項８】
前記シリンダは、このシリンダを包囲するリング部材を具え、このリング部材の表面に、シリンダの表面に有する塗装膜と共通な塗装膜を設けてなる請求項７に記載のドアロック装置。
【請求項９】
前記塗装膜は、樹脂塗料からなるものである請求項７または８に記載のドアロック装置。
【請求項１０】
前記塗装膜は、多層に積層形成してなるものである請求項７乃至９のいずれか一項に記載のドアロック装置。
【請求項１１】
前記塗装膜は、その下色となる下色層の表面に、塗料の厚みが不均一な濃淡模様を構成する少なくとも一つの濃淡模様層を形成してなる請求項１０に記載のドアロック装置。
【請求項１２】
前記濃淡模様層は、少なくとも２つの層からなる請求項１１に記載のドアロック装置。
【請求項１３】
前記濃淡模様が豹柄などの所望の模様である請求項１０乃至１２のいずれか一項に記載のドアロック装置。
【請求項１４】
シリンダに隣接して配置されたドアノブ部を付加して具え、このドアノブ部の表面に、シリンダの表面に有する塗装膜と共通な塗装膜を設けてなる請求項７乃至１３のいずれか一項に記載のドアロック装置。
【請求項１５】
シリンダおよびドアノブ部を一体に保持する鍵プレートを付加して具え、この鍵プレートの表面に、シリンダの表面に有する塗装膜と共通な塗装膜を設けてなる請求項１４に記載のドアロック装置。
【請求項１６】
把持部を有するキーのブレードをシリンダに内蔵したプラグの鍵穴に挿入し、このプラグをシリンダに対して回動させることにより施錠または開錠を行うシリンダ型ロック装置の製造方法において、
キーにおける把持部の表面およびシリンダの表面に、色彩、模様またはこれらの結合からなる塗装膜を施し、
この塗装膜を、下塗り層、下色を構成する下色層、この下色層の表面に形成した塗料の厚みが不均一な濃淡模様を構成する少なくとも１つの濃淡模様層および上塗り層の順に塗装することを特徴とするシリンダ型ロック装置の製造方法。
【請求項１７】
下色層の表面を該下色層から離れた位置から複数の空隙をランダムに配したシート部材でマスクキングしたのち、色彩塗料をシート部材に向かって霧状に噴射し、前記空隙を通過した霧状の色彩塗料によって前記濃淡模様を施す請求項１６に記載のシリンダ型ロック装置の製造方法。
【請求項１８】
前記シリンダ型ロック装置は、シリンダをドアに取り付けてなるドアロック装置である請求項１６または１７に記載のドアロック装置の製造方法。
【請求項１９】
前記シリンダは、このシリンダを包囲するリング部材を具えるものであり、このリング部材の表面に、シリンダの表面と同様な塗装をする請求項１８に記載のドアロック装置の製造方法。
【請求項２０】
シリンダに隣接して配置されたドアノブ部を付加して具えるドアロック装置であって、このドアノブ部の表面に、シリンダの表面と同様な塗装をする請求項１８または１９に記載のドアロック装置の製造方法。
【請求項２１】
シリンダおよびドアノブ部を一体に保持する鍵プレートを付加して具えるドアロック装置であって、この鍵プレートの表面に、シリンダの表面と同様な塗装をする請求項１８乃至２０のいずれか一項に記載のドアロック装置の製造方法。
【発明の詳細な説明】
【０００１】
【発明の属する技術分野】
本発明は、把持部を有するキーのブレードをシリンダに内蔵したプラグの鍵穴に挿入し、このプラグをシリンダに対して回動させることにより施錠または開錠を行うシリンダ型ロック装置およびこれを用いたドアロック装置と、これらの製造方法に関するものである。
【０００２】
【従来の技術】
シリンダ型ロック装置は、例えば、住宅、自動車のドアや机の引き出しなど、室内室外を問わず、各種用途に使用されるため、キー、プラグおよびシリンダとしては、防食、耐磨耗性を考慮してメッキ処理を施したものを使用することが一般的である。
【０００３】
このため、例えば、真鍮板材の表面にニッケルメッキを施したキーや、快削黄銅やプレス加工されたステンレス鋼に各種メッキ処理を施したプラグおよびシリンダ等は既知である。
【０００４】
ところで、シリンダの表面をメッキ処理するにあたっては、次の２つのいずれかの表面処理を選択する必要があり、その一方は、予めシリンダ表面にバフ仕上げを施して光沢仕上げする方法であり、他方は、シリンダ表面に対して一方向にサンドペーパーなどでライン目を施してヘアーライン仕上げする方法である。
【０００５】
これらの仕上げ方法は、高精度かつ平滑に仕上げる必要があることから、一般的に相当の熟練を要する困難な作業であるため、生産性、つまり製品全体としての、歩留まりが低く、しかも、その検査にも時間を要するため、結果的に、メッキ処理した場合、製品１つ当たりの製造コストを低減するのが必ずしも容易ではない。
【０００６】
一方、個性が求められる現在にあっては、ファッショナブルで個性的な製品が求められている。このため、本発明者は、各個人が所有・管理するシリンダ型ロック装置にも、こうした要求に応える製品を提供するのが望ましいとの着想に至った。
【０００７】
従来のシリンダ型ロック装置にあっては、その表面がメッキ処理されるものであるため、色彩が単調で画一的なものとならざるを得えない。
【０００８】
またキーの表面をメッキ処理する場合、キー全体をメッキ処理しなければならないため、例えば、外観的な美観を考慮して、キーの表面に金メッキや純金メッキを施したとしても、プラグの鍵穴に挿入されるキーのブレードでは磨耗が著しく、短期間に、ブレード面からメッキが剥離してその装飾性を損なうという不都合があった。
【０００９】
【発明が解決しようとする課題】
本発明は、上述した問題点を解消するためになされたものであって、製造技術的に格別の熟練度を要する精密加工の必要がなく容易かつ安価に製造することができ、耐磨耗性や耐食性などに優れ、しかも、美観の向上と自由かつ多様な色彩や模様などによるデザインを選択することができるシリンダ型ロック装置、これを用いたドアロック装置およびこれらの製造方法を提供することを目的とする。
【００１０】
【課題を解決するための手段】
このため、請求項１に係る発明は、把持部を有するキーのブレードをシリンダに内蔵したプラグの鍵穴に挿入し、このプラグをシリンダに対して回動させることにより施錠または開錠を行うシリンダ型ロック装置において、キーにおける把持部の表面およびシリンダの表面に、色彩、模様またはこれらの結合からなる塗装膜を設けてなることを特徴とするものである。
【００１１】
請求項２に係る発明は、上記請求項１に記載のシリンダ型ロック装置において、前記塗装膜が、樹脂塗料からなるものである。
【００１２】
請求項３に係る発明は、上記請求項１または２に記載のシリンダ型ロック装置において、前記塗装膜が、多層に積層形成してなるものである。
【００１３】
請求項４に係る発明は、上記請求項３に記載のシリンダ型ロック装置において、前記塗装膜が、その下色となる下色層の表面に、塗料の厚みが不均一な濃淡模様を構成する少なくとも一つの濃淡模様層を形成してなるものである。
【００１４】
請求項５に係る発明は、上記請求項４に記載のシリンダ型ロック装置において、前記濃淡模様層が、少なくとも２つの層からなるものである。
【００１５】
請求項６に係る発明は、上記請求項３乃至５のいずれか一項に記載のシリンダ型ロック装置において、前記濃淡模様が豹柄などの所望の模様であるものである。
【００１６】
請求項７に係る発明は、把持部を有するキーのブレードをシリンダに内蔵したプラグの鍵穴に挿入し、このプラグをシリンダに対して回動させることによりドアの施錠または開錠を行うドアロック装置において、キーにおける把持部の表面およびシリンダの表面に、色彩、模様またはこれらの結合からなる塗装膜を設けてなることを特徴とするものである。
【００１７】
請求項８に係る発明は、上記請求項７に記載のドアロック装置において、前記シリンダが、このシリンダを包囲するリング部材を具え、このリング部材の表面に、シリンダの表面に有する塗装膜と共通な塗装膜を設けてなるものである。
【００１８】
請求項９に係る発明は、上記請求項７または８に記載のドアロック装置において、前記塗装膜が、樹脂塗料からなるものである。
【００１９】
請求項１０に係る発明は、上記請求項７乃至９のいずれか一項に記載のドアロック装置において、前記塗装膜が、多層に積層形成してなるものである。
【００２０】
請求項１１に係る発明は、上記請求項１０に記載のドアロック装置において、前記塗装膜が、その下色となる下色層の表面に、塗料の厚みが不均一な濃淡模様を構成する少なくとも一つの濃淡模様層を形成してなるものである。
【００２１】
請求項１２に係る発明は、上記請求項１１に記載のドアロック装置において、前記濃淡模様層が、少なくとも２つの層からなるものである。
【００２２】
請求項１３に係る発明は、上記請求項１０乃至１２のいずれか一項に記載のドアロック装置において、前記濃淡模様が豹柄などの所望の模様であるものである。
【００２３】
請求項１４に係る発明は、上記請求項７乃至１３のいずれか一項に記載のドアロック装置において、シリンダに隣接して配置されたドアノブ部を付加して具え、このドアノブ部の表面に、シリンダの表面に有する塗装膜と共通な塗装膜を設けてなるものである。
【００２４】
請求項１５に係る発明は、上記請求項１４に記載のドアロック装置において、シリンダおよびドアノブ部を一体に保持する鍵プレートを付加して具え、この鍵プレートの表面に、シリンダの表面に有する塗装膜と共通な塗装膜を設けてなる。
【００２５】
請求項１６に係る発明は、把持部を有するキーのブレードをシリンダに内蔵したプラグの鍵穴に挿入し、このプラグをシリンダに対して回動させることにより施錠または開錠を行うシリンダ型ロック装置の製造方法において、キーにおける把持部の表面およびシリンダの表面に、色彩、模様またはこれらの結合からなる塗装膜を施し、この塗装膜を、下地処理層、下色を構成する下色層、この下色層の表面に形成した塗料の厚みが不均一な濃淡模様を構成する少なくとも１つの濃淡模様層および上塗り層の順に塗装することを特徴とする製造方法である。
【００２６】
請求項１７に係る発明は、上記請求項１６に記載のシリンダ型ロック装置の製造方法において、下色層の表面を該下色層から離れた位置から複数の空隙をランダムに配したシート部材でマスクキングしたのち、色彩塗料をシート部材に向かって霧状に噴射し、前記空隙を通過した霧状の色彩塗料によって前記濃淡模様を施す製造方法である。
【００２７】
請求項１８に係る発明は、上記請求項１６または１７に記載のシリンダ型ロック装置の製造方法において、前記シリンダ型ロック装置は、シリンダをドアに取り付けてなるドアロック装置である製造方法である。
【００２８】
請求項１９に係る発明は、上記請求項１８に記載のドアロック装置の製造方法において、前記シリンダは、このシリンダを包囲するリング部材を具えるものであり、このリング部材の表面に、シリンダの表面と同様な塗装をする製造方法である。
【００２９】
請求項２０に係る発明は、上記請求項１８または１９に記載のドアロック装置の製造方法において、シリンダに隣接して配置されたドアノブ部を付加して具えるドアロック装置であって、このドアノブの表面に、シリンダの表面と同様な塗装をする製造方法である。
【００３０】
請求項２１に係る発明は、上記請求項２０に記載のドアロック装置において、シリンダおよびドアノブ部を一体に保持する鍵プレートを付加して具えるドアロック装置であって、この鍵プレートの表面に、シリンダの表面と同様な塗装をする製造方法である。
【００３１】
【発明の実施の形態】
以下、本発明の実施の形態を、添付図面に基づき詳細に説明する。
【００３２】
図１は、本発明の一実施形態である、建造物のドア１０に取り付けられたドアロック装置１００を示す斜視図であり、図２，３はそれぞれ、ドアロック装置１００の要部を構成するキー１１０およびそのシリンダ錠１２０を示す斜視図および側面図である。
【００３３】
キー１１０は、図２に示す如く、真鍮板材の表面にメッキを施した後、そのブレード１１１を除く部分に合成樹脂製からなる把持部１１２を成形したものである。なお、本実施形態のブレード１１１は、キー溝によってシリンダ錠１２０とメカニカルに符合するものであるが、マグネットなどによって符合するもの等に、適宜変更することができる。
【００３４】
シリンダ錠１２０は、図１，３に示す如く、プラグ１２１を内蔵するシリンダ１２２からなり、キー１１０のブレード１１１をプラグ１２１の鍵穴１２１ｈに挿入し、このプラグ１２１をシリンダ１２２に対して回動させることにより、デッドボルト１２３をドア１０の側面１１から突出または収納し、ドア１０の施錠または開錠を行う。
【００３５】
シリンダ１２２は、このシリンダ１２２を包囲するリング部材１３０を具え、図１に示す如く、このリング部材１３０を介して鍵プレート１４０に一体に保持されている。また鍵プレート１４０は、シリンダ１２２（リング部材１３０）に隣接する位置にドアノブ部１５０を一体に具え、ドアノブ１５１が丸座１５２を介して回動自在に保持されている。ドアノブ１５１は、丸座１５２を介して回動することにより、ラッチボルト１５３をドア１０の側面１１から突出または収納し、ドア１０の開閉を可能にする。
【００３６】
本実施形態のドアロック装置１００は、キー把持部１１２の表面およびシリンダ１２２の表面に、互いに関連する色彩、模様またはこれらの結合からなる塗装膜１１３，１２４を設けてなる。
【００３７】
この場合、キー１１０の保持部１１２およびシリンダ１２２をメッキ処理しないため、バフ仕上げおよびヘアーライン仕上げなどの熟練を要する前加工が不要となる。このため、製品全体の歩留まりが向上して、その検査も容易になるから、結果的に、製品１つ当たりの製造コストを低く抑えることができる。
【００３８】
また塗装膜１１３，１２４によれば、メッキ処理する場合に比べて、色彩のバリエーションが豊富となることから、住居環境や建物、その背景との調和を図りつつ彩色・模様付けできるため、美観の向上と自由かつ多様な色彩や模様などによるデザインを選択することができる。特にキー１１０の場合、そのブレード１１１ではなく保持部１１２に塗装膜１１３を設けたことから、ブレード１１１に設けた塗装膜が剥離してその装飾性を損なうことがない。
【００３９】
ところで、キー把持部１１２の塗装膜１１３およびシリンダ１２２の塗装膜１２４が色彩からなる場合、これら塗装膜１１３，１２４は、それぞれ同じ色彩に共通化することは勿論、紅色および白色または黒色および白色等の異なる色彩で色分けすることも含む。またキー把持部１１２の塗装膜１１３およびシリンダ１２２の塗装膜１２４が模様からなる場合も、これら塗装膜１１３，１２４は、それぞれ同じ模様に共通化することは勿論、互いを異なる形状の模様で模様分けすることも含む。
【００４０】
さらに色彩・模様を結合させてキー把持部１１２の塗装膜１１３およびシリンダ１２２の塗装膜１２４それぞれに設けても良い。この場合も、これら塗装膜１１３，１２４は、それぞれ同じ色彩・模様に共通化することは勿論、互いを異なる色彩・模様で色彩・模様分けすることも含む。また塗装膜１１３，１２４は、多層に積層形成してなるものであって、その下色となる下色層の表面に、塗料の厚みが不均一な濃淡模様を構成する少なくとも一つの濃淡模様層を形成してなるものが好ましい。この場合、塗装膜１１３，１２４が積層構造であるため、耐磨耗性や耐食性などの機械的な強度を向上させることができる。
【００４１】
なお、本実施形態では、キー把持部１１２の塗装膜１１３およびシリンダ１２２の塗装膜１２４を互いに共通な色彩、模様の結合からなるものとする。この場合、キー把持部１１２の塗装膜１１３と、シリンダ１２２の塗装膜１２４との共通化よる統一感が得られるため、製品としての調和を図ることができる。
【００４２】
しかも、集合住宅における各戸のドアに用いる際は、各フロアごとに、キー把持部１１２の塗装膜１１３およびシリンダ１２２の塗装膜１２４を統一すれば、使用者自身が持つキー把持部１１２の塗装膜１１３と照合して現在自身がいるフロアを認識できることに加え、集合住宅全体としての統一性のとれた美観が得られる。
【００４３】
また本実施形態の塗装膜１１３，１２４は、所望の模様として、少なくとも下色Ｃおよび色彩が異なる２つの模様Ｐ１，Ｐ２で形成した３色以上の混合色からなる、豹柄模様を採用しているが、豹柄模様以外にも、例えば、虎模様、大理石模様や迷彩模様などが挙げられる。この場合、塗装膜１１３および塗装膜１２４の多様なデザインが、使用者にキー１１０を持つ楽しさを演出し、各個人の個性やアイデンティティなどを様々な色彩、模様、これらの結合によって表現することができる。また塗装膜１１３，１２４は、下色および１つ以上の色彩からなる模様で形成した２色以上の混合色からなるものとすればよく、さらに色彩や模様を増やすことにより、自由かつ多様な色彩や模様などによるデザインを選択することができる。
【００４４】
また本実施形態では、ドアノブ部１５０にも、ドアノブ１５１および丸座１５２の表面に、シリンダ１２２の塗装膜１２４と共通な塗装膜１５３を設ける一方、鍵プレート１４０の表面にも、シリンダ１２２の塗装膜１２４と共通な塗装膜１４１を設けている。この場合、シリンダ１２２、リング部材１３０、鍵プレート１４０およびドアノブ部１５０が互いに共通な塗装膜で統一化されるため、ドア１０との調和を図ることができる。なお、塗装膜は、必ずしも鍵プレート１４０およびドアノブ部１５０の両方に設ける必要は無く、いずれか一方だけに設けてもよい。
【００４５】
図４は、キー１１０に塗装膜１１３を施す際の塗装工程を示すフローチャートであり、図５（ａ）〜（ｄ）はそれぞれ、ドアロック装置１００の製造方法において、キー把持部１１２に塗装膜１１３を施す過程を示す断面図である。また図６は、後述の特殊仕上げによる多色塗装の一工程を説明する模式図である。
【００４６】
始めキー１１０は、図４に示す如く、ステップ１にて、洗浄（脱脂）されたのち、ステップ２にて、キー１１０のブレード１１１をマスキングし、合成樹脂からなる把持部１１２を露出させる。次にステップ３にて、把持部１１２の表面に錆び止め塗料であるプライマを塗装したのち、ステップ４にて焼き付けを行い、プライマを乾燥させる。これにより、図５（ａ）に示す如く、把持部１１２の表面に下地処理層１１３ａが形成される。
【００４７】
次にステップ５〜８にて、下地処理層１１３ａの表面に、特殊仕上げによる多色塗装を施す。
【００４８】
この多色塗装は、まずステップ５にて、下地処理層１１３ａの表面に下色を構成する色彩塗料を塗装したのち、ステップ６にて焼き付けを行い、色彩塗料を乾燥させる。これにより、図５（ｂ）に示す如く、下地処理層１１３ａの表面に下色層１１３ｂを形成する。そしてステップ７にて、下色層１１３ｂの表面に、後述する模様付けを行う。この模様付けは、塗料の厚みが不均一になるような塗装を施して濃淡模様を形成するものであって、本実施形態では二通りの方法を例示する。
【００４９】
まず、第一の方法は、下色層１１３ａの表面に色彩塗料を塗装したのち、この色彩塗料の一部を拭き取る所謂、ワイピング塗装である。この塗装の場合、下色層１１３ａの表面に形成した色彩塗料の厚みが不均一となるため、色調に陰影および深みがある濃淡模様を形成することができる。
【００５０】
第二の方法は、図６に示すように、シート部材１に複数の空隙１ｈをランダムに配したものを使用し、このシート部材１で下色層１１３ｂの表面を該下色層１１３ｂから離れた位置からマスクキングしたのち、スプレーガン２で色彩塗料をシート部材１に向かって霧状に噴射する塗装である。この塗装の場合も、霧状の色彩塗料が空隙１ｈを通過することによって、下色層１１３ｂの表面に形成した色彩塗料の厚みが不均一となるため、色調に陰影および深みがある濃淡模様を形成することができる。
【００５１】
シート部材１としては、様々なものを使用することができ、例えば、シート状に乾燥させたフノリや畳いわしをそのまま適用することが可能である。この場合には、ランダムな形態の空隙が濃淡をもってランダムに配列された図柄を、複雑なマスキング形成工程を必要とせずに容易且つ簡便に実現できるという利点が達成される。
【００５２】
ステップ７にて模様付けを行った後は、ステップ８にて焼き付けを行い、色彩塗料を乾燥させる。これにより、図５（ｃ）に示す如く、下色層１１３ｂの表面に、色彩塗料の厚みが不均一な濃淡模様を構成する濃淡模様層１１３ｃを形成する。なお、図５（ｃ）の濃淡模様層１１３ｃでは、色彩塗料の厚みが最も薄い部分Ａによって連続しているが、この部分Ａは、勿論、不連続であってもよく、その場合、この不連続部分から露出した下色層１１３ｂの色彩が模様膜１１３全体の下色を呈する。
【００５３】
また図５（ｃ）では、濃淡模様層１１３ｃが一層のみであるが、本実施形態の如く、１つの下色Ｃおよび２つの模様Ｐ１，Ｐ２からなる場合は、ステップ７，８の工程を模様Ｐ１と模様Ｐ２とで２回繰り返せば、塗装膜１１３を、下色Ｃおよび２つの濃淡模様層からなる３色の混合色にできる。従って複数の模様が必要となる場合は、ステップ７，８の工程を必要な模様の数だけ繰り返せばよい。
【００５４】
多色塗装されたキー１１０は、ステップ９にて、濃淡模様層１１３ｃの表面に光沢を与える保護膜を形成するクリア塗料を塗装したのち、ステップ１０にて焼き付けを行い、クリア塗料を乾燥させる。これにより、図５（ｄ）に示す如く、濃淡模様層１１３ｃの表面に上塗り層１１３ｄが形成されるため、ステップ１１にて、ブレード１１１に取り付けたマスキングを除去すると、キー把持部１１２の表面に、積層された塗装膜１１３が形成されることになる。
【００５５】
ところで、ステップ５〜８で行った多色塗装としては、従来から、ツートン塗装と呼ばれるものや、文字などを局部的に画いたものが既知である。
【００５６】
しかしながら、従来の多色塗装方法においては、塗装完成後の塗装表面に大きな段差（通常、濃淡模様層１５μｍ、上塗り層３５μｍで合計５０μｍ程度の段差）が生じるだけでなく、上塗り層の端面が鋭利になって見栄えの点においても好ましくなく、また、通常、塗装表面自体にマスキングを施すので、作業性も悪く、結果的に製造コストを押し上げてしまうという問題がある。
【００５７】
これに対して、上述した二通りの方法の場合、この下色層２ｃ２の表面に形成した濃淡模様層１１３ｃは、図５（ｃ）に示す如く、色彩塗料の厚みが不均一ななだらかな断面形状となるから、図５（ｄ）に示す如く、上塗り層１１３ｄの端面も鋭利になることなく、しかも、下色層１１３ｂの表面にマスキングを施すので、作業性も向上し、結果的に、製品１つ当たりの製造コストを低く抑えることができる。
【００５８】
またステップ４，６，８，１０にて、下地処理層１１３ａ、下色層１１３ｂ、濃淡模様層１１３ｃおよび上塗り層１１３ｄの各層に焼き付けを施している。この場合、密着性能がさらに増して耐磨耗性、耐食性などの機械的特性が向上する。
【００５９】
また塗装膜１１３は、アクリル系塗料やウレタン系塗料などの樹脂塗料からなるものであることが好ましい。この場合、耐磨耗性、耐食性などの機械的な特性に優れる。
【００６０】
なお、シリンダ１２２、リング部材１３０、鍵プレート１４０およびドアノブ部１５０の表面に塗装膜を形成するに際しては、これらの部品に、キー１１０のブレード１１１のようにマスキングを必要する箇所がないため、図４のフローチャートから、ステップ２，１１の工程を除いた同様な手順で、各塗装膜１２３，１３１，１４１，１５１を、下地処理層１２３ａ，１３１ａ，１４１ａ，１５１ａ、下色層１２３ｂ，１３１ｂ，１４１ｂ，１５１ｂ、濃淡模様層１２３ｃ，１３１ｃ，１４１ｃ，１５１ｃおよび上塗り層１２３ｄ，１３１ｄ，１４１ｄ，１５１ｄの積層に形成する。
【００６１】
上述したところは、本発明の好適な実施形態を示したに過ぎず、当業者によれば、請求の範囲において、様々な変更を加えることができる。例えば、ドアロック装置１００の形態において、ドアノブ１５１は様々な形状のものを利用でき、またリング部材１３０および鍵プレート１４０の有無も任意である。
【００６２】
さらにシリンダ型ロック装置としては、机の引き出し、宝石箱などの収納箱または自動車ドアのロック装置、または自転車やオートバイ等の盗難防止用に用いられるワイヤー（チェーン）ロックのロック装置など、様々な分野に応用することもできる。また、塗装膜の形成も、ドアロック装置１００を製造するに際して、図５，６で行ったと同様な塗装方法を用いることができる。
【００６３】
【発明の効果】
本発明の効果を列記すれば、次の通りである。
１．キーの保持部およびシリンダをメッキ処理しないため、バフ仕上げおよびヘアーライン仕上げなどの熟練を要する前加工が不要となる。このため、製品全体の歩留まりが向上して、その検査も容易になるから、結果的に、製品１つ当たりの製造コストを低く抑えることができる。
２．メッキ処理する場合に比べて、色彩のバリエーションが豊富となることから、住居環境や建物、車体などの背景との調和を図りつつ彩色・模様付けできるため、美観の向上と自由かつ多様な色彩や模様などによるデザインを選択することができる。
３．塗装膜の多様なデザインが、使用者にキーを持つ楽しさを演出し、各個人の個性やアイデンティティなどを様々な色彩、模様、これらの結合によって表現することができる。
４．キーの保持部およびシリンダの表面に同じ塗装膜を設けることにより、製品としての調和を図ることができる。
５．塗装膜が積層構造であるため、耐磨耗性や耐食性などの機械的な強度を向上させることができる。
【図面の簡単な説明】
【図１】本発明の一実施形態である、ドアに取り付けられたドアロック装置を示す斜視図である。
【図２】同実施形態のドアロック装置の要部を構成するキーを示す側面図である。
【図３】同実施形態のドアロック装置の要部を構成するシリンダ錠を示す斜視図である。
【図４】同実施形態のキーに塗装膜を施す際の塗装工程を示すフローチャートである。
【図５】（ａ）〜（ｄ）はそれぞれ、同実施形態のドアロック装置の製造方法において、キー把持部に塗装膜を施す過程を示す断面図である。
【図６】特殊仕上げによる多色塗装の一工程を説明する模式図である。
【符号の説明】
１　シート部材
１ｈ　空隙
２　スプレーガン
１００　ドアロック装置
１１０　キー
１１１　ブレード
１１２　把持部
１１３　塗装膜
１１３ａ　下塗り層
１１３ｂ　下色層
１１３ｃ　濃淡模様層
１１３ｄ　上塗り層
１２０　シリンダ錠
１２１　プラグ
１２１ｈ　鍵穴
１２２　シリンダ
１２４　塗装膜
１２４ａ　下塗り層
１２４ｂ　下色層
１２４ｃ　濃淡模様層
１２４ｄ　上塗り層
１３０　リング部材
１４０　鍵プレート
１５０　ドアノブ部
１５１　ドアノブ
１５２　丸座
【図１】
2004011299.tif 000003
【図２】
2004011299.tif 000004
【図３】
2004011299.tif 000005
【図４】
2004011299.tif 000006
【図５】
2004011299.tif 000007
【図６】
2004011299.tif 000008